【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
拡散太陽エネルギーを用いて、底部を有する加熱容器を加熱するための太陽光屈折デバイス（「ＳＲＤ」）（１０２）であって、前記拡散太陽エネルギーは、前記ＳＤＲの外側面に衝突し、且つ、前記ＳＲＤを通って屈折し、前記ＳＤＲは、
レンズアレイアセンブリ（１００）、及び
前記レンズアレイアセンブリ（１００）に取り付けられた複数のレンズペイン（１０４）を備え、前記レンズアレイアセンブリ（１００）が、
前記ＳＲＤの前記外側面に一致する外側面（１０８）、
内側面、並びに
複数のレンズアレイサブアセンブリ（１１０）、（１１２）、（１１４）、（１１６）、（１１８）、（１２０）、（１２２）、（１２４）、及び（１２６）を含み、
前記複数のレンズペイン（１０４）のうちの一部の複数のレンズペインが、前記複数のレンズアレイサブアセンブリ（１１０）、（１１２）、（１１４）、（１１６）、（１１８）、（１２０）、（１２２）、（１２４）、及び（１２６）のうちの対応するレンズアレイサブアセンブリに取り付けられ、
前記複数のレンズアレイサブアセンブリのうちのレンズアレイサブアセンブリが凸形状を有し、
各レンズアレイサブアセンブリが、前記レンズアレイサブアセンブリに対応する焦点距離を有するように構成され、前記レンズアレイアセンブリが複数の焦点距離を有することになり、
前記レンズアレイアセンブリ（１００）及び前記複数のレンズペイン（１０４）が、前記レンズアレイアセンブリの前記外側面（１０８）の表面上の前記拡散太陽エネルギーを、前記加熱容器（７２６）内の加熱領域（７２４）へと屈折及び集中させるように構成される、ＳＲＤ。
【請求項２】
各レンズアレイサブアセンブリ（１１０）、（１１２）、（１１４）、（１１６）、（１１８）、（１２０）、（１２２）、（１２４）、及び（１２６）が凸形状を有し、
各レンズアレイサブアセンブリの前記凸形状がほぼ放物線形状であり、
前記加熱容器（７２６）の前記底部の上方の前記加熱容器（７２６）内の加熱平面（８２０）を画定するために、各レンズアレイサブアセンブリが、前記加熱容器（７２６）の前記底部を越えた焦点距離を有するように構成され、
前記加熱平面が前記加熱領域（８２２）に一致する、請求項１に記載のＳＲＤ。
【請求項３】
前記レンズアレイアセンブリ（１００）に連結された支持構造体（１２８）を更に含み、前記支持構造体（１２８）が、前記加熱容器から所定の距離において前記レンズアレイアセンブリ（１００）を支持するように構成される、請求項１または２に記載のＳＲＤ。
【請求項４】
前記支持構造体（１２８）に連結された太陽追尾装置を更に含み、前記太陽追尾装置が、前記ＳＲＤを通って屈折し且つ加熱領域に集中する大量の太陽エネルギーを維持するやり方で、前記支持構造体（１２８）を移動させるように構成される、請求項３に記載のＳＲＤ。
【請求項５】
前記一部の複数のレンズペインのうちのレンズペイン（１０４）のうちの少なくとも幾つかが、フレネルレンズである、請求項１に記載のＳＲＤ。
【請求項６】
各レンズペイン（１０４）が、前記加熱容器からの所定の距離によって決定された角度において前記レンズアレイサブアセンブリに取り付けられ、
各レンズアレイサブアセンブリが、ほぼ放物線形状を有する、請求項１に記載のＳＲＤ。
【請求項７】
第１のレンズアレイサブアセンブリに対応する前記焦点距離（６１２）が、第２のレンズアレイサブアセンブリに対応する前記焦点距離とは異なる、請求項２に記載のＳＲＤ。
【請求項８】
前記レンズアレイアセンブリが、少なくとも五（５）個のレンズアレイサブアセンブリを含む、請求項１から７のいずれか一項に記載のＳＲＤ。
【請求項９】
底部を有する加熱容器内の工業原料を加熱するための太陽光屈折デバイス（「ＳＲＤ」）を製造するための方法であって、
一定量の工業原料を溶かすために必要とされるエネルギーの量を決定すること（１１０４）、
少なくとも部分的に前記工業原料の前記一定量に基づいて、前述で決定された前記エネルギーの量を生み出すためのレンズアレイアセンブリのアレイサイズを決定することであって、前記レンズアレイアセンブリが、前記レンズアレイアセンブリに衝突する太陽光を前記工業原料へと屈折させるように構成される、決定すること（１１０６）、
前記レンズアレイアセンブリの焦点距離を決定すること（１１１０）、
前記レンズアレイアセンブリを支持するための支持フレームを組み立てること、及び
前記レンズアレイアセンブリを組み立てること（１１１２）を含む、方法。
【請求項１０】
前記レンズアレイアセンブリを組み立てることが、
複数のレンズアレイサブアセンブリを組み立てること、及び
前記複数のレンズアレイサブアセンブリを前記レンズアレイアセンブリの中へ取り付けることを含み、
各レンズアレイサブアセンブリが対応する焦点距離を有し、各レンズアレイサブアセンブリが凸形状を有する、請求項９に記載の方法。
【請求項１１】
前記複数のレンズアレイサブアセンブリを組み立てることが、複数のレンズペインを各複数のレンズアレイサブアセンブリに取り付けることを含む、請求項１０に記載の方法。
【請求項１２】
前記複数のレンズペインを取り付けることが、複数のフレネルレンズを各複数のレンズアレイサブアセンブリに取り付けることを含む、請求項１１に記載の方法。
【請求項１３】
前記レンズアレイアセンブリを組み立てることが、ほぼ放物線形状を有する前記レンズアレイアセンブリを組み立てることを含み、
前記レンズアレイアセンブリの前記焦点距離を決定することが、前記加熱容器の前記底部の上方の前記加熱容器内の加熱表面を画定するために、前記加熱容器の前記底部を越えた焦点距離を決定することを含む、請求項１０に記載の方法。
【請求項１４】
複数のレンズアレイサブアセンブリを組み立てることが、第２のレンズアレイサブアセンブリに対応する第２の焦点距離とは異なる、対応する焦点距離を有する第１のレンズアレイサブアセンブリを組み立てることを更に含む、請求項１３に記載の方法。
【請求項１５】
太陽光屈折デバイス（「ＳＲＤ」）を用いて、底部を有する加熱容器を加熱するための方法であって、
前記ＳＲＤに衝突する太陽エネルギーを、複数のレンズアレイサブアセンブリを有するレンズアレイアセンブリを通って屈折させること（１００４）、
前記屈折した太陽エネルギーを複数の焦点に集中させることであって、各焦点が前記複数のレンズアレイサブアセンブリのうちのレンズアレイサブアセンブリに対応する、集中させること（１００５）、及び
前記複数の焦点を利用して前記加熱容器内に加熱領域を生成すること（１００６）を含み、
前記屈折した太陽エネルギーを集中させることが、各レンズアレイサブアセンブリの前記屈折した太陽エネルギーを、異なる焦点距離を有する焦点に集中させることを更に含む、方法。
【請求項１６】
前記屈折した太陽エネルギーを集中させることが、前記屈折した太陽エネルギーを、前記加熱容器の前記底部を通り過ぎた複数の焦点に集中させることを含む、請求項１５に記載の方法。
【請求項１７】
前記屈折した太陽エネルギーを集中させることが、複数のフレネルレンズを通して、前記屈折した太陽エネルギーを集中させることを更に含む、請求項１６に記載の方法。
【請求項１８】
工業原料を加熱することが、前記工業原料を溶かすことを含む、請求項１５から１７のいずれか一項に記載の方法。